【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
送信者から受信者へ、その受信者から離れた位置に設けられたサーバーを経て、メッセージを送信し、そしてそのメッセージを認証する方法であって、サーバーにおいて実行されるステップとして、
送信者からメッセージを受信するステップと、
メッセージを受信者に送信するステップと、
受信者とサーバーとの間でのメッセージの送信の際にサーバー及び受信者によって生成されたメール転送プロトコルのダイアログの少なくとも一部を格納するステップと、
サーバーにおいて、受信者から、受信者がサーバーからのメッセージを受信したことを示す表示を受信するステップと、
メッセージを維持するとともに、サーバーによる後のメッセージの認証のために付加的にメッセージのデジタル符牒を形成するステップと、
メッセージの認証の前に、送信の格納のために、送信者に対し、メッセージ、メッセージのデジタル符牒、及び、メール転送プロトコルのダイアログの少なくとも一部を送信するステップと、
メッセージ及びメッセージのデジタル符牒の送信者への送信の後であってメッセージの認証の前に、メッセージ及びメッセージのデジタル符牒を破棄するステップと、
を備えることを特徴とする方法。
【請求項２】
さらに、前記サーバーにおいて実行されるステップとして、
メッセージの認証の前であり、かつメッセージの送信者への送信の後に、送信者から、メッセージのコピー及びメッセージのデジタル符牒を受信するステップと、
送信者からのメッセージのコピーのデジタル指紋を形成するステップと、
形成されたデジタル指紋をメッセージのデジタル符牒と比較するステップと、
前記比較の結果に基づいてメッセージを認証するステップと、
を備えることを特徴とする請求項１に記載の方法。
【請求項３】
さらに、前記サーバーにおいて実行されるステップとして、
サーバーにおいて、送信者の識別子、サーバーの識別子及びアドレス及び受信者の行先アドレスを含む付属物を与えるステップと、
付加的に前記付属物のデジタル符牒を与えるステップと、
メッセージ及びメッセージのデジタル符牒の送信者への送信と同時に、前記付属物及び付属物のデジタル符牒を送信者に送信するステップと、
を備えることを特徴とする請求項１に記載の方法。
【請求項４】
さらに、前記サーバーにおいて実行されるステップとして、
受信者から付属物を受信するステップと、
前記付属物を保持するとともに付加的に付属物のデジタル符牒を与えるステップと、
送信者による格納ために、前記付属物及び付属物のデジタル符牒を送信者に送信するステップと、
を備えることを特徴とする請求項１に記載の方法。
【請求項５】
さらに、前記サーバーにおいて実行されるステップとして、
送信者から前記メッセージ及び付属物のコピー、及び、前記メッセージ及び付属物のデジタル符牒を受信するステップと、
前記メッセージのデジタル指紋を形成するステップと、
前記メッセージのデジタル指紋を前記メッセージのデジタル符牒と比較するステップと、
前記付属物のデジタル指紋を付属物のデジタル符牒と比較して、前記メッセージ及び付属物の認証を行うステップと、
を備えることを特徴とする請求項４に記載の方法。
【請求項６】
さらに、前記サーバーにおいて実行されるステップとして、
前記サーバーにおいて送信者からの前記メッセージ及びメッセージの検証を受信するステップと、
前記サーバーが送信者から受信したメッセージ及びメッセージのデジタル符牒に基づいて、メッセージを認証するステップと、
を備えることを特徴とする請求項１に記載の方法。
【請求項７】
さらに、前記サーバーにおいて実行されるステップとして、
メッセージの受信者への送信後であってメッセージの認証の前に、送信者から、メッセージのコピー及びメッセージのデジタル符牒を受信するステップと、
メッセージの認証を決定するために、前記メッセージ及びメッセージのデジタル符牒を処理するステップと、
を備えることを特徴とする請求項１に記載の方法。
【請求項８】
受信者へのメッセージの配達の証拠を後に生成するために、メール転送プロトコルのダイアログの少なくとも一部を格納手段に送信するステップをさらに備える、請求項１に記載の方法。
【請求項９】
前記メール転送プロトコルのダイアログには、サーバーと受信者との間のメッセージに、サーバー及び受信者の識別子及びメッセージ及びメッセージの受信者による受領確認の識別子を含むメッセージに関するデータが含まれている、請求項８に記載の方法。
【請求項１０】
サーバーにおいて、サーバーが送信者から受信したメッセージのデジタル指紋を生成するステップと、
サーバーにおいて生成されたデジタル指紋を前記メッセージのデジタル署名と比較するステップと、
をさらに備える、請求項８に記載の方法。
【請求項１１】
第２のサーバーと行先サーバーとの間のメール転送プロトコルのダイアログには、第２のサーバーと行先サーバーの識別子に関する事項及びメッセージに関する事項が含まれている、請求項１０に記載の方法。
【請求項１２】
第２のサーバーと行先サーバーとの間のメール転送プロトコルのダイアログには、メッセージを受信した行先サーバーによる第２のサーバーへの受領確認が含まれている、請求項１１に記載の方法。
【請求項１３】
送信者によって提供され、前記送信者及び行先から離れた位置に設けられた第２のサーバーによって行先サーバーに送信されたメッセージを認証する方法であって、前記第２のサーバーにおいて、
前記第２のサーバーにおいて、第２のサーバーと行先サーバーの間でのメッセージの送信の際に、送信者の識別子及びアドレス、第２のサーバーの識別子及びアドレス、行先サーバーの識別子及びアドレス、そして、第２のサーバー及び行先サーバーによって生成されたメール転送プロトコルのダイアログの少なくとも一部を含む電子的な付属物を作成するステップと、ここで、第２のサーバーから送信者へ送信される電子的な付属物のメール転送プロトコルのダイアログの少なくとも一部は、第２のサーバーから行先サーバーへの電子的な付属物の送信の際に電子的な付属物を受信する途中のステーションのアドレス及び識別子を含んでおり、
前記メッセージの第２のサーバーから行先サーバーへの送信の後であって第２のサーバーによるメッセージの認証の前に、第２のサーバーから送信者へ、電子的な付属物を送信するステップと、
を備えることを特徴とする方法。
【請求項１４】
さらに、第２のサーバーにおけるステップとして、
第２のサーバーにおいて、電子的な付属物のデジタル署名を提供するステップと、
第２のサーバーから送信者への前記電子的な付属物の送信のときに、前記電子的な付属物のデジタル署名を第２のサーバーから送信者へ送信するステップと、
を備えることを特徴とする請求項１３に記載の方法。
【請求項１５】
第２のサーバーにおけるステップとして、
送信者から、電子的な付属物及び電子的な付属物のデジタル署名を第２のサーバーにおいて受信するステップと、
第２のサーバーにおいて、第２のサーバーが送信者から受信した前記電子的な付属物、及び、電子的な付属物のデジタル署名に基づいて、前記電子的な付属物を認証するステップと、
を備える、請求項１４に記載の方法。
【請求項１６】
第２のサーバーにおけるステップとして、
第２のサーバーが、送信者から、付属物と当該付属物のデジタル署名を受信するステップと、
第２のサーバーにおいて、前記付属物のデジタル指紋を提供するステップと、
前記デジタル指紋と前記付属物のデジタル署名を比較して前記付属物を認証するステップと、
を備える、請求項１４に記載の方法。
【請求項１７】
第２のサーバーによって行先サーバーへのメッセージの配達の後の証拠のために、第２のサーバーと行先サーバーとの間のメッセージに関するメール転送プロトコルのダイアログの少なくもと一部を格納するステップをさらに有する請求項１３に記載の方法。
【請求項１８】
前記メール転送プロトコルのダイアログの少なくもと一部には、第２のサーバーと行先サーバーとの間のステージを通して第２のサーバーと行先サーバーとの間でメッセージの送信が行われているときに、第２のサーバーと行先サーバーとの間で交換されるメッセージに関するデータが含まれ、さらに、
第２のサーバーによって行先サーバーへのメッセージの配達の後の証拠のために、第２のサーバーと行先サーバーとの間のメッセージに関するダイアログの少なくもと一部を格納するステップをさらに有する請求項１３に記載の方法。
【請求項１９】
第２のサーバーによる行先サーバーへのメッセージの配達の後の証拠のために、第２のサーバーと行先サーバーとの間のメッセージに関するメール転送プロトコルのダイアログの少なくもと一部を格納するステップをさらに備え、
ここで、前記ダイアログは、ＳＭＴＰ又はＥＳＭＴＰプロトコルのダイアログであり、
前記ダイアログには、第２のサーバーと行先サーバーの識別子に関する事項及びメッセージに関する事項が含まれており、
第２のサーバーと行先サーバーとの間のダイアログは、電子的な付属物に含まれている、
請求項１５に記載の方法。